(57)【要約】【課題】操作の煩雑さを軽減することが可能な警報システムを提供する。【解決手段】警報システム１は記憶部１１を備え、記憶部１１には複数の警戒区域をグループ分けして形成された複数のグループの情報、及び複数のグループそれぞれに設定された警戒状態及び解除状態の優先順位の情報が記憶されている。制御部１２は、いずれか１つの警戒区域が警戒状態又は解除状態にセットされた場合に、警戒状態又は解除状態にセットされた警戒区域が含まれるグループ内、及び、このグループよりも優先順位が低いグループ内の警戒区域を警戒状態又は解除状態にセットする。【選択図】図１
2008217467.tif 000002
【特許請求の範囲】
【請求項１】
複数の警戒区域それぞれを警戒状態又は解除状態にセット可能であり、警戒状態とされる警戒区域に異常状態が発生した場合に警報する警報システムであって、
複数の警戒区域をグループ分けして形成された複数のグループの情報、及び前記複数のグループそれぞれに設定された警戒状態の優先順位の情報を記憶する記憶手段と、
複数の警戒区域のうちいずれか１つが警戒状態にセットされた場合に、警戒状態にセットされた警戒区域が含まれるグループ内、及び、このグループよりも警戒状態の優先順位が低いグループ内の警戒区域を警戒状態にセットするセット制御手段と、
を備えることを特徴とする警報システム。
【請求項２】
複数の警戒区域それぞれを警戒状態又は解除状態にセット可能であり、警戒状態とされる警戒区域に異常状態が発生した場合に警報する警報システムであって、
複数の警戒区域をグループ分けして形成された複数のグループの情報、及び前記複数のグループそれぞれに設定された解除状態の優先順位の情報を記憶する記憶手段と、
複数の警戒区域のうちいずれか１つが解除状態にセットされた場合に、解除状態にセットされた警戒区域が含まれるグループ内、及び、このグループよりも解除状態の優先順位が低いグループ内の警戒区域を解除状態にセットするセット制御手段と、
を備えることを特徴とする警報システム。
【請求項３】
前記複数のグループの情報、及び前記優先順位の情報を入力する入力手段を備え、
前記記憶手段は、前記入力手段により入力された前記複数のグループの情報及び前記優先順位の情報を記憶すること、
を特徴とする請求項１又は２のいずれかに記載の警報システム。
【請求項４】
各警戒区域が警戒状態であるか解除状態であるかを表示する表示手段を備えることを特徴とする請求項１乃至３のいずれか１項に記載の警報システム。
【発明の詳細な説明】
【技術分野】
【０００１】
本発明は、警報システムに関する。
【背景技術】
【０００２】
従来、火災、爆発、異常温度及び流量の異常変化や、盗難、夜盗、泥棒又は侵入者を検知して、これらに対する警報を発する警報システムが知られている。
【０００３】
警報システムが警戒する対象範囲が比較的広い場合、各種のセンサや建物の部屋などを単位とする警戒区域が多数におよぶ。このため、全警戒区域を管理することは煩雑となり、警戒区域を警戒する警戒状態及び警戒区域の警戒を解除する解除状態の設定にあたり警備担当者などの誤操作を招き、ひいては誤報などの原因となってしまう。
【０００４】
そこで、複数の警戒区域をグループ化して、グループごとに、警戒状態及び解除状態などを設定することにより、制御を容易且つ正確に行うことができる警報システムが提案されている（特許文献１参照）。
【０００５】
特許文献１に開示されたシステムによれば、予め区分されたグループごとの警戒状況を選択的に表示装置に表示し、この表示を通じてグループごとに警戒状態及び解除状態を設定することができる。
【特許文献１】特開平１１−３３８１８７号公報
【発明の開示】
【発明が解決しようとする課題】
【０００６】
しかしながら、上記システムでは、グループごとに警戒状態及び解除状態を設定するようにしているため、警備担当者などの使用者による操作が煩雑になる場合がある。例えば、建物の各階を企業等に貸し出しているような場合、各階の入口が属するグループ（通路などの共用部）を警戒状態にセットしたときには、その奥にある各グループについても警戒状態とすることが望ましい。ところが、従来では、それぞれのグループについて１つずつ警戒状態をセットしなければならないため、使用者による操作が煩雑となってしまう。
【０００７】
本発明は、このような従来の課題を解決するためになされたものであり、その目的とするところは、操作の煩雑さを軽減することが可能な警報システムを提供することにある。
【課題を解決するための手段】
【０００８】
上記目的を達成するため、本発明に係る警報システムは、複数の警戒区域それぞれを警戒状態又は解除状態にセット可能であり、警戒状態とされる警戒区域に異常状態が発生した場合に警報するものであって、記憶手段と、セット制御手段とを備えている。記憶手段は、複数の警戒区域をグループ分けして形成された複数のグループの情報、及び複数のグループそれぞれに設定された警戒状態の優先順位の情報を記憶する。セット制御手段は、複数の警戒区域のうちいずれか１つが警戒状態にセットされた場合に、警戒状態にセットされた警戒区域が含まれるグループ内、及び、このグループよりも警戒状態の優先順位が低いグループ内の警戒区域を警戒状態にセットする。
【０００９】
また、上記目的を達成するため、本発明に係る警報システムは、複数の警戒区域それぞれを警戒状態又は解除状態にセット可能であり、警戒状態とされる警戒区域に異常状態が発生した場合に警報するものであって、記憶手段と、セット制御手段とを備えている。記憶手段は、複数の警戒区域をグループ分けして形成された複数のグループの情報、及び複数のグループそれぞれに設定された解除状態の優先順位の情報を記憶する。セット制御手段は、複数の警戒区域のうちいずれか１つが解除状態にセットされた場合に、解除状態にセットされた警戒区域が含まれるグループ内、及び、このグループよりも解除状態の優先順位が低いグループ内の警戒区域を解除状態にセットする。
【００１０】
また、警報システムは、複数のグループの情報、及び優先順位の情報を入力する入力手段をさらに備え、記憶手段は、入力手段により入力された複数のグループの情報及び優先順位の情報を記憶することが好ましい。
【００１１】
また、警報システムは、各警戒区域が警戒状態であるか解除状態であるかを表示する表示手段をさらに備えることが好ましい。
【発明の効果】
【００１２】
本発明によれば、複数のグループそれぞれに設定された警戒状態の優先順位の情報を記憶し、複数の警戒区域のうちいずれか１つが警戒状態にセットされた場合に、その警戒区域が含まれるグループ内、及び、このグループよりも警戒状態の優先順位が低いグループ内の警戒区域が警戒状態にセットされる。このため、例えば、建物の各階を企業等に貸し出しているような場合に、各階の入口が属するグループを警戒状態にセットしたときに、その奥にある各グループについても自動的に警戒状態にセットすることができる。従って、使用者による操作の煩雑さを軽減することができる。
【００１３】
また、本発明によれば、複数のグループそれぞれに設定された解除状態の優先順位の情報を記憶し、複数の警戒区域のうちいずれか１つが解除状態にセットされた場合に、その警戒区域が含まれるグループ内、及び、このグループよりも解除状態の優先順位が低いグループ内の警戒区域を解除状態にセットする。このため、例えば、建物の各階を企業等に貸し出しているような場合に、各階の奥にある警戒区域のグループを解除状態にセットしたときに、その手前にある各グループについても自動的に解除状態にセットすることができる。従って、使用者による操作の煩雑さを軽減することができる。
【００１４】
また、複数のグループの情報、及び優先順位の情報を入力する入力手段を備えるので、警備担当者などが担当する複数の警戒区域の仕様に応じて適切にグループ及び優先順位を入力でき、適切な警戒状態等のセットを行うことができる。
【００１５】
また、各警戒区域が警戒状態であるか解除状態であるかを表示する表示手段を備えるので、警備担当者などは、各警戒区域が現在の警戒状態であるかなどを把握することができる。
【発明を実施するための最良の形態】
【００１６】
以下、本発明の好適な実施形態として、本発明を防犯に関する警報システムに適用した例について説明する。
【００１７】
図１は、本実施形態に係る警報システムの構成図である。図１に示すように、警報システム１は、複数の警戒区域それぞれを警戒状態又は解除状態にセット可能であり、警戒状態とされる警戒区域に異常状態が発生した場合（例えば侵入者が存在する場合）に警報するものである。この警報システム１は、警報盤１０と複数の防犯センサ２０とを備えている。
【００１８】
複数の防犯センサ２０は、赤外線や熱などにより人の存在を検出するものである。これら防犯センサ２０は、例えばそれぞれが各部屋などの警戒区域に１つずつ設けられており、人の存在を検出した場合、その旨の信号を警報盤１０に送信する構成となっている。
【００１９】
図２は、複数の防犯センサ２０の設置状態を示す図である。図２に示すように第１〜第１３防犯センサ２０ａ〜２０ｌは、それぞれ各部屋内に１つずつ設けられている。すなわち、第１防犯センサ２０ａは１階共用部（１Ｆ共用部）に設けられ、第２防犯センサ２０ｂは１階南部の第１の部屋（１Ｆ南部１）に設けられ、第３防犯センサ２０ｃは１階南部の第２の部屋（１Ｆ南部２）に設けられている。また、第４防犯センサ２０ｄは１階南部の第３の部屋（１Ｆ南部３）に設けられ、第５防犯センサ２０ｅは１階北部の第１の部屋（１Ｆ北部１）に設けられ、第６防犯センサ２０ｆは１階北部の第２の部屋（１Ｆ北部２）に設けられている。
【００２０】
また、第７防犯センサ２０ｇは１階北部の第３の部屋（１Ｆ北部３）に設けられ、第８防犯センサ２０ｈは２階第１共用部（２Ｆ共用部１）に設けられ、第９防犯センサ２０ｉは２階第２共用部（２Ｆ共用部２）に設けられている。さらに、第１０防犯センサ２０ｊは２階南部の部屋（２Ｆ南部）に設けられ、第１１防犯センサ２０ｋは２階北部第１の部屋（２Ｆ北部１）に設けられ、第１３防犯センサ２０ｌは２階北部第２の部屋（２Ｆ北部２）に設けられている。
【００２１】
再度、図１を参照する。警報盤１０は、警報システム１を統括するものであり、記憶部（記憶手段）１１と、制御部（セット制御手段）１２と、操作パネル１３と、表示部（表示手段）１４と、警報部１５とを備えている。
【００２２】
記憶部１１は、複数の警戒区域をグループ分けして形成された複数のグループの情報、複数のグループそれぞれに設定された警戒状態の優先順位の情報、及び、複数のグループそれぞれに設定された解除状態の優先順位の情報を記憶するものである。
【００２３】
図３は、図１に示した記憶部１１に記憶される記憶内容を示した図であり、（ａ）はグループの情報の一例を示している。図３（ａ）に示すように、記憶部１１は、１Ｆ共用部に設けられる第１防犯センサ２０ａ（回線１）がグループＡとして記憶している。このグループＡは１階の入口（玄関部分）が属するグループである。また、記憶部１１は、１Ｆ南部１の部屋に設けられる第２防犯センサ２０ｂ（回線２）、１Ｆ南部２の部屋に設けられる第３防犯センサ２０ｃ（回線３）、及び、１Ｆ南部３の部屋に設けられる第４防犯センサ２０ｄ（回線４）をグループＣとして記憶している。
【００２４】
また、記憶部１１は、１Ｆ北部１の部屋に設けられる第５防犯センサ２０ｅ（回線５）、１Ｆ北部２の部屋に設けられる第６防犯センサ２０ｆ（回線６）、及び、１Ｆ北部３の部屋に設けられる第７防犯センサ２０ｇ（回線７）をグループＤとして記憶している。
【００２５】
さらに、記憶部１１は、２階についても同様に記憶している。すなわち、記憶部１１は、２Ｆ共用部１に設けられる第８防犯センサ２０ｈ（回線８）、及び、２Ｆ共用部２に設けられる第９防犯センサ２０ｉ（回線９）をグループＢとして記憶している。このグループＢは２階の入口（階段の上がり口）が属するグループである。また、記憶部１１は、２Ｆ南部の部屋に設けられる第１０防犯センサ２０ｊ（回線１０）をグループＥとして記憶している。さらに、記憶部１１は、２Ｆ北部１の部屋に設けられる第１１防犯センサ２０ｋ（回線１１）、及び、２Ｆ北部２の部屋に設けられる第１３防犯センサ２０ｌ（回線１３）をグループＦとして記憶している。
【００２６】
図３（ｂ）は警戒状態の優先順位の情報を示している。図３（ｂ）に示すように、記憶部１１は警戒状態の優先順位記憶領域を備えている。この記憶領域に記憶される記憶内容では、グループＡよりもグループＢの方が警戒状態の優先順位が低く、グループＢよりもグループＥ及びグループＦの方が警戒状態の優先順位が低くなっている。また、グループＡよりもグループＣ及びグループＤの方が警戒状態の優先順位が低くなっている。なお、グループＥとグループＦとの優先順位は同じであり、グループＣとグループＤとの優先順位も同じである。
【００２７】
このような優先順位は、図２に示す建物の構造に応じて決定される。すなわち、グループＡよりもグループＢの方が建物の奥側（入口から見て奥側）にあるため、グループＢよりもグループＡの優先順位が高くなっている。また、グループＢよりもグループＥ及びグループＦの方が建物の奥側（階段の上がり口から見て奥側）にあるため、グループＥ及びグループＦよりもグループＢの優先順位が高くなっている。さらに、グループＡよりもグループＣ及びグループＤの方が建物の奥側にあるため、グループＣ及びグループＤよりもグループＡの優先順位が高くなっている。
【００２８】
図３（ｃ）は解除状態の優先順位の情報を示している。図３（ｃ）に示すように、記憶部１１は解除状態の優先順位記憶領域を備えている。この記憶領域に記憶される記憶内容では、グループＣ及びグループＤよりもグループＡの方が解除状態の優先順位が低くなっている。さらに、グループＥ及びグループＦよりもグループＢの方が解除状態の優先順位が低く、グループＢよりもグループＡの方が解除状態の優先順位が低くなっている。なお、グループＣとグループＤとの優先順位も同じであり、グループＥとグループＦとの優先順位は同じである。
【００２９】
このような優先順位は、図２に示す建物の構造に応じて決定される。すなわち、グループＢよりもグループＡの方が建物の手前側（入口から見て手前側）にあるため、グループＡよりもグループＢの優先順位が高くなっている。また、グループＥ及びグループＦよりもグループＢの方が建物の手前側（階段の上がり口から見て手前側）にあるため、グループＢよりもグループＥ及びグループＦの優先順位が高くなっている。さらに、グループＣ及びグループＤよりもグループＡの方が建物の手前側にあるため、グループＡよりもグループＣ及びグループＤの優先順位が高くなっている。
【００３０】
再度、図１を参照する。制御部１２は、警報システム１の全体を制御するものである。この制御部１２は、操作パネル１３にされた操作に従って、各警戒区域を警戒状態にセットしたり、解除状態にセットしたりする。この制御部１２は、例えば中央演算ユニット（ＣＰＵ）、ランダムアクセスメモリ（ＲＡＭ）リードオンリーメモリ（ＲＯＭ）、および入出力インターフェース（Ｉ／Ｏインターフェース）を有するマイクロコンピュータにより構成されている。ただし、制御部１２を複数のマイクロコンピュータにより構成することも可能であり、本実施形態で説明した制御の他にも複数の制御を実行する装置として構成することもできる。
【００３１】
操作パネル１３は、利用者により操作可能なものであって、具体的には図４に示す構成になっている。図４は、図１に示した操作パネル１３の一例を示す図である。図４に示すように、操作パネル１３は、一括警戒スイッチ１３ａと、一括解除スイッチ１３ｂとを有している。また、操作パネル１３は、回線選択スイッチ（入力手段）１３ｃと、回線表示部１３ｄと、警戒スイッチ１３ｅと、解除スイッチ１３ｆとを有している。さらに、操作パネル１３は、グループ登録スイッチ（入力手段）１３ｇと、警戒優先順位登録スイッチ（入力手段）１３ｈと、解除優先順位登録スイッチ（入力手段）１３ｉと、決定スイッチ（入力手段）１３ｊと、終了スイッチ（入力手段）１３ｋとを有している。
【００３２】
一括警戒スイッチ１３ａは、夜間など建物内から正規の者が退出した後に押されるスイッチであり、このスイッチ１３ａが押されることにより、制御部１２は全警戒区域を警戒状態とする。一括解除スイッチ１３ｂは、ウイークデイの日中など建物内に正規の者が入る前に押されるスイッチであり、このスイッチ１３ｂが押されることにより、制御部１２は全警戒区域を解除状態とする。
【００３３】
回線選択スイッチ１３ｃ、回線表示部１３ｄ、警戒スイッチ１３ｅ及び解除スイッチ１３ｆは、各警戒区域を個別に警戒状態又は解除状態にセットするものである。これらのうち回線選択スイッチ１３ｃは、複数の警戒区域から１つの警戒区域を個別に指定するものである。指定された結果は、回線表示部１３ｄに表示されることとなる。また、警戒スイッチ１３ｅは、回線選択スイッチ１３ｃによって指定された警戒区域を警戒状態にするスイッチである。解除スイッチ１３ｆは、回線選択スイッチ１３ｃによって指定された警戒区域を解除状態にするスイッチである。
【００３４】
本実施形態では、上記スイッチ１３ｃ〜１３ｆの操作によって複数の警戒区域のうちいずれか１つが警戒状態にセットされた場合に、制御部１２は、警戒状態にセットされた警戒区域が含まれるグループ内、及び、このグループよりも警戒状態の優先順位が低いグループ内の警戒区域を警戒状態にセットする。
【００３５】
例えば、回線８が警戒状態にセットされた場合、制御部１２は、回線８と同じグループＢに属する回線９の警戒区域を警戒状態にセットし（図３（ａ）参照）、グループＢよりも警戒状態の優先順位が低いグループＥ及びグループＦに属する回線１０〜１２の警戒区域を警戒状態にセットする（図３（ａ）及び（ｂ）参照）。また、回線１１が警戒状態にセットされた場合、制御部１２は、回線１１と同じグループＦに属する回線１２の警戒区域を警戒状態にセットする（図３（ａ）参照）。ここで、回線１１が警戒状態にセットされた場合は、グループＦよりも低い優先順位のグループが存在しないため、優先順位に基づく警戒状態のセットは行われない。
【００３６】
また、本実施形態では、上記スイッチ１３ｃ〜１３ｆの操作によって複数の警戒区域のうちいずれか１つが解除状態にセットされた場合に、制御部１２は、解除状態にセットされた警戒区域が含まれるグループ内、及び、このグループよりも解除状態の優先順位が低いグループ内の警戒区域を解除状態にセットする。
【００３７】
例えば、回線１１が解除状態にセットされた場合、制御部１２は、回線１１と同じグループＦに属する回線１２の警戒区域を解除状態にセットし（図３（ａ）参照）、グループＦよりも警戒区域の優先順位が低いグループＡ及びグループＢに属する回線１，８，９の警戒区域を解除状態にセットする（図３（ａ）及び（ｃ）参照）。同様に、回線８が解除状態にセットされた場合、制御部１２は、回線８と同じグループＢに属する回線９の警戒区域を解除状態にセットし（図３（ａ）参照）、グループＢよりも解除状態の優先順位が低いグループＡに属する回線１の警戒区域を解除状態にセットする（図３（ａ）及び（ｃ）参照）。
【００３８】
グループ登録スイッチ１３ｇは、複数の警戒区域を複数のグループにグループ分けして記憶部１１に記憶させる際に用いられるスイッチである。複数の警戒区域を複数のグループにグループ分けして記憶部１１に記憶させる際には、このスイッチ１３ｇの他に、回線選択スイッチ１３ｃ、決定スイッチ１３ｊ、及び終了スイッチ１３ｋが用いられる。
【００３９】
警戒優先順位登録スイッチ１３ｈは、警戒状態の優先順位を記憶部１１に記憶させる際に用いられるスイッチである。また、解除優先順位登録スイッチ１３ｉは、解除状態の優先順位を記憶部１１に記憶させる際に用いられるスイッチである。優先順位を記憶部１１に記憶させる際には、この他に、回線選択スイッチ１３ｃ、決定スイッチ１３ｊ、及び終了スイッチ１３ｋが用いられる。
【００４０】
決定スイッチ１３ｊは、グループ登録や優先順位登録の際に用いられるスイッチであり、登録中に各種の決定を行うためのスイッチである。終了スイッチ１３ｋは、グループ登録や優先順位登録の際に用いられるスイッチであり、登録操作を終了するためのスイッチである。
【００４１】
再度、図１を参照する。表示部１４は、液晶ディスプレイや地図式表示などによって構成され、各警戒区域が警戒状態であるか解除状態であるかを表示するものである。警報部１５は、警戒状態とされる警戒区域に侵入者などの異常状態が発生した場合に警報を発するものである。異常状態が発生した警戒区域は表示部１４に点滅表示などされることとなる。
【００４２】
次に、本実施形態に係る警報システム１の動作を説明する。図５は、本実施形態に係る警報システム１の基本的な処理の手順を示すフローチャートである。図５に示すように、まず、制御部１２はいずれかの回線が警戒状態とされたか否かを判断する（ステップＳ１）。
【００４３】
いずれかの回線が警戒状態とされたと判断した場合（ステップＳ１：ＹＥＳ）、制御部１２は、警戒状態とされた回線が示す警戒区域と同じグループに属する警戒区域が存在するか否かを判断する（ステップＳ２）。同じグループに属する警戒区域が存在しないと判断した場合（ステップＳ２：ＮＯ）、処理はステップＳ４に移行する。
【００４４】
一方、同じグループに属する警戒区域が存在すると判断した場合（ステップＳ２：ＹＥＳ）、制御部１２は、同じグループ内の警戒区域を警戒状態にセットする（ステップＳ３）。そして、処理はステップＳ４に移行する。
【００４５】
ステップＳ４において、制御部１２は、警戒状態とされた回線が示す警戒区域が属するグループよりも、警戒状態の優先順位が低いグループが存在するか否かを判断する（ステップＳ４）。警戒状態の優先順位が低いグループが存在しないと判断した場合（ステップＳ４：ＮＯ）、図５に示す処理は終了する。
【００４６】
警戒状態の優先順位が低いグループが存在すると判断した場合（ステップＳ４：ＹＥＳ）、制御部１２は、警戒状態の優先順位が低いグループ内の警戒区域を警戒状態にセットする（ステップＳ５）。そして、本フローチャートの処理を終了する。
【００４７】
ところで、いずれの回線も警戒状態とされてないと判断した場合（ステップＳ１：ＮＯ）、
制御部１２はいずれかの回線が解除状態とされたか否かを判断する（ステップＳ１）。いずれの回線も解除状態とされてないと判断した場合（ステップＳ６：ＮＯ）、本フローチャートの処理を終了する。
【００４８】
また、ステップＳ１において、いずれかの回線が解除状態とされたと判断した場合（ステップＳ６：ＹＥＳ）、制御部１２は、解除状態とされた回線が示す警戒区域と同じグループに属する警戒区域が存在するか否かを判断する（ステップＳ７）。同じグループに属する警戒区域が存在しないと判断した場合（ステップＳ７：ＮＯ）、処理はステップＳ９に移行する。
【００４９】
一方、同じグループに属する警戒区域が存在すると判断した場合（ステップＳ７：ＹＥＳ）、制御部１２は、同じグループ内の警戒区域を解除状態にセットする（ステップＳ８）。そして、処理はステップＳ９に移行する。
【００５０】
ステップＳ９において、制御部１２は、解除状態とされた回線が示す警戒区域が属するグループよりも、解除状態の優先順位が低いグループが存在するか否かを判断する（ステップＳ９）。解除状態の優先順位が低いグループが存在しないと判断した場合（ステップＳ９：ＮＯ）、本フローチャートの処理を終了する。
【００５１】
解除状態の優先順位が低いグループが存在すると判断した場合（ステップＳ９：ＹＥＳ）、制御部１２は、解除状態の優先順位が低いグループ内の警戒区域を解除状態にセットする（ステップＳ１０）。そして、本フローチャートの処理を終了する。
【００５２】
図６は、グループを登録するときの処理の手順を示すフローチャートである。図６に示すように、まず制御部１２は、グループ登録スイッチ１３ｇがオンされたか否かを判断する（ステップＳ１１）。グループ登録スイッチ１３ｇがオンされていないと判断した場合（ステップＳ１１：ＮＯ）、本フローチャートの処理を終了する。
【００５３】
グループ登録スイッチ１３ｇがオンされたと判断した場合（ステップＳ１１：ＹＥＳ）、制御部１２は回線選択スイッチ１３ｃの操作によって回線が選択されたか否かを判断する（ステップＳ１２）。回線が選択されていないと判断した場合（ステップＳ１２：ＮＯ）、回線が選択されたと判断されるまで、この処理が繰り返される。
【００５４】
一方、回線が選択されたと判断した場合（ステップＳ１２：ＹＥＳ）、制御部１２は、決定スイッチ１２ｊがオンされたか否かを判断する（ステップＳ１３）。決定スイッチ１２ｊがオンされていないと判断した場合（ステップＳ１３：ＮＯ）、処理はステップＳ１２に移行する。
【００５５】
決定スイッチ１２ｊがオンされたと判断した場合（ステップＳ１３：ＹＥＳ）、制御部１２は、選択された回線が示す警戒区域を第１のグループに加える（ステップＳ１４）。その後、制御部１２は、グループ登録スイッチがオンされたか否かを判断する（ステップＳ１５）。グループ登録スイッチ１３ｇがオンされていないと判断した場合（ステップＳ１５：ＮＯ）、処理はステップＳ１２に移行する。
【００５６】
グループ登録スイッチ１３ｇがオンされたと判断した場合（ステップＳ１５：ＹＥＳ）、グループ数Ｇをインクリメントする（ステップＳ１６）。これにより、警備担当者などが次に回線を選択した場合、選択された回線は第２のグループに属することとなる。また、ステップＳ１６の処理を経ることで、グループ数が順次インクリメントされていくことは言うまでもない。
【００５７】
その後、制御部１２は、終了スイッチ１２ｋがオンされたか否かを判断する（ステップＳ１７）。終了スイッチ１２ｋがオンされていないと判断した場合（ステップＳ１７：ＮＯ）、処理はステップＳ１２に移行する。
【００５８】
終了スイッチ１２ｋがオンされたと判断した場合（ステップＳ１７：ＹＥＳ）、制御部１２は、選択されなかった回線が存在するか否かを判断する（ステップＳ１８）。選択されなかった回線が存在しないと判断した場合（ステップＳ１８：ＮＯ）、処理はステップＳ２０に移行する。
【００５９】
選択されなかった回線が存在すると判断した場合（ステップＳ１８：ＹＥＳ）、制御部１２は、選択されなかった回線でグループを形成する（ステップＳ１９）。その後、処理はステップＳ２０に移行する。ステップＳ２０において、制御部１２は、ステップＳ１１〜Ｓ１９により決定された複数のグループを記憶部１１に記憶させる（ステップＳ２０）。その後、本フローチャートの処理を終了する。
【００６０】
図７は、警戒状態の優先順位を登録するときの処理の手順を示すフローチャートである。図７に示すように、まず制御部１２は、警戒優先順位登録スイッチ１３ｈがオンされたか否かを判断する（ステップＳ２１）。警戒優先順位登録スイッチ１３ｈがオンされていないと判断した場合（ステップＳ２１：ＮＯ）、本フローチャートの処理を終了する。
【００６１】
警戒優先順位登録スイッチ１３ｈがオンされたと判断した場合（ステップＳ２１：ＹＥＳ）、制御部１２は、回線選択スイッチ１３ｃの操作によって回線が選択されたか否かを判断する（ステップＳ２２）。回線が選択されていないと判断した場合（ステップＳ２２：ＮＯ）、回線が選択されたと判断されるまで、この処理が繰り返される。
【００６２】
一方、回線が選択されたと判断した場合（ステップＳ２２：ＹＥＳ）、制御部１２は、決定スイッチ１２ｊがオンされたか否かを判断する（ステップＳ２３）。決定スイッチ１２ｊがオンされていないと判断した場合（ステップＳ２３：ＮＯ）、処理はステップＳ２２に移行する。
【００６３】
決定スイッチ１２ｊがオンされたと判断した場合（ステップＳ２３：ＹＥＳ）、制御部１２は、選択された回線が属するグループを警戒状態の優先順位が高いグループに決定する（ステップＳ２４）。
【００６４】
その後、制御部１２は、回線選択スイッチ１３ｃの操作によって回線が選択されたか否かを判断する（ステップＳ２５）。回線が選択されていないと判断した場合（ステップＳ２５：ＮＯ）、回線が選択されたと判断されるまで、この処理が繰り返される。
【００６５】
一方、回線が選択されたと判断した場合（ステップＳ２５：ＹＥＳ）、制御部１２は、決定スイッチ１２ｊがオンされたか否かを判断する（ステップＳ２６）。決定スイッチ１２ｊがオンされていないと判断した場合（ステップＳ２６：ＮＯ）、処理はステップＳ２５に移行する。
【００６６】
決定スイッチ１２ｊがオンされたと判断した場合（ステップＳ２６：ＹＥＳ）、制御部１２は、選択された回線が属するグループを警戒状態の優先順位が低いグループに決定する（ステップＳ２７）。
【００６７】
そして、制御部１２は、終了スイッチ１２ｋがオンされたか否かを判断する（ステップＳ２８）。終了スイッチ１２ｋがオンされていないと判断した場合（ステップＳ２８：ＮＯ）、終了スイッチ１２ｋがオンされたと判断されるまで、この処理が繰り返される。
【００６８】
終了スイッチ１２ｋがオンされたと判断した場合（ステップＳ２８：ＹＥＳ）、制御部１２は、ステップＳ２１〜Ｓ２８により決定された警戒状態の優先順位を記憶させる（ステップＳ２９）。その後、本フローチャートの処理を終了する。このように、本実施形態に係る警報システム１は、２つのグループで優先順位の優劣を決定することとなる。複数のグループに亘って優先順位を決定したい場合、図７に示す操作を繰り返して実行すればよい。
【００６９】
図８は、解除状態の優先順位を登録するときの処理の手順を示すフローチャートである。図８に示すように、まず制御部１２は、解除優先順位登録スイッチ１３ｉがオンされたか否かを判断する（ステップＳ３１）。解除優先順位登録スイッチ１３ｉがオンされていないと判断した場合（ステップＳ３１：ＮＯ）、本フローチャートの処理を終了する。
【００７０】
解除優先順位登録スイッチ１３ｉがオンされたと判断した場合（ステップＳ３１：ＹＥＳ）、制御部１２は、回線選択スイッチ１３ｃの操作によって回線が選択されたか否かを判断する（ステップＳ３２）。回線が選択されていないと判断した場合（ステップＳ３２：ＮＯ）、回線が選択されたと判断されるまで、この処理が繰り返される。
【００７１】
一方、回線が選択されたと判断した場合（ステップＳ３２：ＹＥＳ）、制御部１２は、決定スイッチ１２ｊがオンされたか否かを判断する（ステップＳ３３）。決定スイッチ１２ｊがオンされていないと判断した場合（ステップＳ３３：ＮＯ）、処理はステップＳ３２に移行する。
【００７２】
決定スイッチ１２ｊがオンされたと判断した場合（ステップＳ３３：ＹＥＳ）、制御部１２は、選択された回線が属するグループを解除状態の優先順位が高いグループに決定する（ステップＳ３４）。
【００７３】
その後、制御部１２は、回線選択スイッチ１３ｃの操作によって回線が選択されたか否かを判断する（ステップＳ３５）。回線が選択されていないと判断した場合（ステップＳ３５：ＮＯ）、回線が選択されたと判断されるまで、この処理が繰り返される。
【００７４】
一方、回線が選択されたと判断した場合（ステップＳ３５：ＹＥＳ）、制御部１２は、決定スイッチ１２ｊがオンされたか否かを判断する（ステップＳ３６）。決定スイッチ１２ｊがオンされていないと判断した場合（ステップＳ３６：ＮＯ）、処理はステップＳ３５に移行する。
【００７５】
決定スイッチ１２ｊがオンされたと判断した場合（ステップＳ３６：ＹＥＳ）、制御部１２は、選択された回線が属するグループを解除状態の優先順位が低いグループに決定する（ステップＳ３７）。
【００７６】
そして、制御部１２は、終了スイッチ１２ｋがオンされたか否かを判断する（ステップＳ３８）。終了スイッチ１２ｋがオンされていないと判断した場合（ステップＳ３８：ＮＯ）、終了スイッチ１２ｋがオンされたと判断されるまで、この処理が繰り返される。
【００７７】
終了スイッチ１２ｋがオンされたと判断した場合（ステップＳ３８：ＹＥＳ）、制御部１２は、ステップＳ３１〜Ｓ３８により決定された解除状態の優先順位を記憶させる（ステップＳ２９）。その後、本フローチャートの処理を終了する。このように、本実施形態に係る警報システム１は、２つのグループで優先順位の優劣を決定することとなる。なお、さらに複数のグループに亘って優先順位を決定したい場合、図８に示す操作を繰り返し実行すればよい。
【００７８】
以上説明したように、本実施形態に係る警報システム１によれば、複数のグループそれぞれに設定された警戒状態の優先順位の情報を記憶し、複数の警戒区域のうちいずれか１つが警戒状態にセットされた場合に、その警戒区域が含まれるグループ内、及び、このグループよりも警戒状態の優先順位が低いグループ内の警戒区域が警戒状態にセットされる。このため、例えば、建物の各階を企業等に貸し出しているような場合に、各階の入口が属するグループを警戒状態にセットしたときに、その奥にある各グループについても自動的に警戒状態にセットすることができる。従って、使用者による操作の煩雑さを軽減することができる。
【００７９】
また、複数のグループそれぞれに設定された解除状態の優先順位の情報を記憶し、複数の警戒区域のうちいずれか１つが解除状態にセットされた場合に、その警戒区域が含まれるグループ内、及び、このグループよりも解除状態の優先順位が低いグループ内の警戒区域が解除状態にセットされる。このため、例えば、建物の各階を企業等に貸し出しているような場合に、各階の入口から見て奥にある警戒区域のグループを解除状態にセットしたときに、入口が属するグループを自動的に解除状態にセットすることができる。従って、使用者による操作の煩雑さを軽減することができる。
【００８０】
また、複数のグループの情報、及び優先順位の情報を入力するスイッチ１３ｃ，１３ｇ〜１３ｋを備えるので、警備担当者などが担当する複数の警戒区域の仕様に応じて適切にグループ及び優先順位を入力でき、適切な警戒状態等のセットを行うことができる。
【００８１】
また、各警戒区域が警戒状態であるか解除状態であるかを表示する表示部１４を備えるので、使用者は、各警戒区域が現在の警戒状態であるかなどを把握することができる。
【００８２】
以上、本発明の警報システムを実施形態に基づいて説明したが、本発明はこれに限定されるものではなく、本発明の趣旨を逸脱しない範囲で変更可能である。上記実施形態において、防犯用の警報システム１について説明したが、これに限らず、他の用途の警報システムであってもよい。
【００８３】
また、上記実施形態において、警戒区域が１２個である場合を例に説明したが、警戒区域の数はこれに限るものではない。また、センサ数についても１２個に限られるものではない。さらに、警戒区域に１つのセンサが設けられる例を説明したが、警戒区域には２以上のセンサが設けられていてもよい。
【図面の簡単な説明】
【００８４】
【図１】本発明の実施形態に係る警報システムの構成図である。
【図２】複数の防犯センサの設置状態を示す図である。
【図３】図１に示した記憶部に記憶される記憶内容を示した図。（ａ）はグループの情報の一例を示し、（ｂ）は警戒状態の優先順位の情報を示し、（ｃ）は解除状態の優先順位の情報を示している。
【図４】図１に示した操作パネルの一例を示す図である。
【図５】本実施形態に係る警報システムの動作を示すフローチャートである。
【図６】グループを登録するときの処理の手順を示すフローチャートである。
【図７】警戒状態の優先順位を登録するときの処理の手順を示すフローチャートである。
【図８】解除状態の優先順位を登録するときの処理の手順を示すフローチャートである。
【符号の説明】
【００８５】
１  警報システム
１０  警報盤
１１  記憶部（記憶手段）
１２  制御部（セット制御手段）
１３  操作パネル
１３ａ  一括警戒スイッチ
１３ｂ  一括解除スイッチ
１３ｃ  回線選択スイッチ（入力手段）
１３ｄ  回線表示部
１３ｅ  警戒スイッチ
１３ｆ  解除スイッチ
１３ｇ  グループ登録スイッチ（入力手段）
１３ｈ  警戒優先順位登録スイッチ（入力手段）
１３ｉ  解除優先順位登録スイッチ（入力手段）
１３ｊ  決定スイッチ（入力手段）
１３ｋ  終了スイッチ（入力手段）
１４  表示部（表示手段）
１５  警報部
２０  防犯センサ
【図１】
2008217467.tif 000003
【図２】
2008217467.tif 000004
【図３】
2008217467.tif 000005
【図４】
2008217467.tif 000006
【図５】
2008217467.tif 000007
【図６】
2008217467.tif 000008
【図７】
2008217467.tif 000009
【図８】
2008217467.tif 000010